(57)【要約】      （修正有）【課題】  複数枚のＤＶＤケースを立てかけでき、横方向に連接することで所要数のＤＶＤケースを収納できるボックスを提供する。【解決手段】合成樹脂の薄板からなるボックス本体１が背板２と左右側板３ａ、３ｂ及び底板４で構成され、片方の側板に、コ字形とした切り込み５を設けて打ち抜き片６を形成する。他方の側板に、上記打ち抜き片が差し込まれる第１スリット７と、差し込まれた打ち抜き片が取り出される第２スリット８を形成して、複数のボックスが、横方向に連接可能となる。【選択図】図１
0003121804.tif 000002
【実用新案登録請求の範囲】
【請求項１】
合成樹脂の薄板からなるボックス本体が背板と左右側板及び底板で構成され、片方の側板に、コ字形とした切り込みを設けて打ち抜き片を形成し、他方の側板に、上記打ち抜き片が差し込まれる第１スリットと、差し込まれた打ち抜き片が取り出される第２スリットを形成して、複数のボックスが、横方向に連接可能となることを特徴とするＤＶＤケース用連接式ボックス。
【請求項２】
片方の側板に形成した打ち抜き片を水平状に形成し、他方の側板に形成した第１スリットと第２スリットを側板の前後に垂直状に形成することを特徴とする請求項１記載のＤＶＤケース用連接式ボックス。
【請求項３】
片方の側板に形成した打ち抜き片を垂直状に形成し、他方の側板に形成した第１スリットと第２スリットを側板の上下に水平状に形成することを特徴とする請求項１記載のＤＶＤケース用連接式ボックス
【考案の詳細な説明】
【技術分野】
【０００１】  本考案は、ＤＶＤのケースを複数枚収納し立てかけることのできるＤＶＤケース用連接式ボックスに関する。
【背景技術】
【０００２】  ＣＤ．ＤＶＤなどのディスクを収納するケースは幅が数ミリのため支えがないと立てかけて保管することができない。そこで仕切りを設けた上部開口式の箱形のもの、あるいは左右に側板を形成した本立て形式のものなどが提案されている（例えば特許文献１及び特許文献２参照）。
【特許文献１】特開２００４−１６１３５７号公報
【特許文献２】特開２００３−２９２０７８号公報
【考案の開示】
【考案が解決しようとする課題】
【０００３】  特許文献１に記載されたものは、レンタルビデオ店におけるＤＶＤソフト展示用パッケージにかかる技術で、箱形パッケージの内部に隔壁を設けて複数のＤＶＤケースの収容部を平行に形成し、ＤＶＤケースの上部が上面開口より突出するようにして並列配置することを特徴としている。この技術は、パッケージの中に収容したＤＶＤケースの上部だけが見えるようにしてあるため個々のＤＶＤの内容が直ちには視認できず、また多数枚のケースを収容するにはその分のパッケージを当然ながら準備しなければならない。従って個人が例えば記録用のＤＶＤを多数枚収容したい場合はパッケージを複数購入しなければならず、相応の出費がかかるという問題もある。【０００４】  特許文献２に記載されたものは、両端を側板で仕切り、底板を二方向に傾斜させ、背板を平面的に鋭角に設けて夫々を組み上げる構成であり、薄くて倒れやすいケース状のものを整理・収納することができることを特徴としている。この技術は、側板の間が離れていて多数のディスクを収容するには適するが、少数のディスクをまとめて保管するには不向きであり、また左右の側板、底板、背板といった部材からなるので部品点数が多くなるとともに夫々を組み立てる手数もかかり、製品が高価となる懸念がある。【０００５】  本考案はこのような従来技術に鑑みてなされたもので、簡単な構成ながら連接式としたため所望する枚数のディスクを収納することが可能であり、個々のディスクの内容が一目瞭然で出し入れにも手間がかからず、材料費を節して安価に提供できるＤＶＤケース用連接式ボックスを提供することを目的とする。
【課題を解決するための手段】
【０００６】  すなわち本考案は、合成樹脂の薄板からなるボックス本体が背板と左右側板及び底板で構成され、片方の側板に、コ字形とした切り込みを設けて打ち抜き片を形成し、他方の側板に、上記打ち抜き片が差し込まれる第１スリットと、差し込まれた打ち抜き片が取り出される第２スリットを形成して、複数のボックスが、横方向に連接可能となることを技術手段とする。【０００７】  片方の側板に形成した打ち抜き片を水平状に形成し、他方の側板に形成した第１スリットと第２スリットを側板の前後に垂直状に形成することを特徴とする。【０００８】  片方の側板に形成した打ち抜き片を垂直状に形成し、他方の側板に形成した第１スリットと第２スリットを側板の上下に水平状に形成することを特徴とする。
【考案の効果】
【０００９】  本考案によると、ボックス本体の片方の側板には打ち抜き片が、また他方の側板には２つのスリットが形成されており、従って複数のボックスを並べると、隣り合うボックスの側板は、片方が打ち抜き片で他方が２つのスリットとなる。それゆえ片方のボックスの打ち抜き片を、他方のボックスの第１スリットに差し込み、差し込まれた打ち抜き片を第２スリットから取り出すと、取り出した打ち抜き片は再び元の切り込み箇所に収まり、隣接するボックス同士は密着し連接される。このようにしてボックス同士は横方向に列設できるので、例えば１個のボックスに５枚のＤＶＤケースを収納できるとすると、ボックスを３個並べることで１５枚のケースを無理なく立てかけることができる。そして収納されたＤＶＤケースの背面にラベルが貼られていれば、ＤＶＤの内容が一目瞭然となる。【００１０】  ボックスは連接式であるが、ごく少数のＤＶＤケースを収納する場合は１個のボックスを使用すればよい。打ち抜き片は切り込みによって自動的に形成されたものであるから通常は側板と面一状でボックス単独での使用に違和感を生ずることもないからである。単独のボックスであっても背板と底板は一定幅を有するので卓上等に載置でき、ＤＶＤケースを立てかけても傾いたり転倒するおそれはない。【００１１】  本案ボックスは全体を合成樹脂の薄い１枚板で形成でき、所要箇所を屈曲・溶着などの簡単な作業を施すことで完成できるため安価量産に好適し、ＤＶＤケースとセットにしての販売をすることで、ユーザーの購買意欲を満たすことができる。
【考案を実施するための最良の形態】
【００１２】  図面に基づき本考案を説明すると、図１において、１は合成樹脂の透明な薄板（厚さ０．５〜１ミリ程度）からなるボックス本体であり、背板２と左右の側板３ａ・３ｂ、及び底板４で構成されている。左右側板３ａ・３ｂは前面を４５度程度に傾斜形成し、片方の側板３ａにコ字形とした切り込み５を設けて打ち抜き片６を形成している。【００１３】  前記切り込み５は側板３ａの下部に底板４と平行に設けられて打ち抜き片６の奥端が切り込み５の縦部分によってフリー状態となる。そして上記打ち抜き片６と対面して、他方の側板３ｂの前部に第１スリット７、後部に第２スリット８が形成されている。【００１４】  第１スリット７は、打ち抜き片６が差し込まれる挿入口となるもので、第２スリット８は、差し込まれた打ち抜き片６の取り出し口となるものである。従って第１スリット７と第２スリット８は垂直線状で、打ち抜き片６の幅よりも若干長く形成され、また両スリットには十分な間隔が設けられている。【００１５】  図２は左側ボックスのスリットに右側ボックスの打ち抜き片６を係合することで、相互のボックスが連接される状態を示している。すなわち右側のボックス本体１の打ち抜き片６を横方向から左側ボックス本体１の第１スリット７に差し込み、差し込んだ打ち抜き片６を、左側のボックス本体１の側板３ａ内面に沿って押し込み、次いで第２スリット８から取り出し、右側のボックス本体１を左側のボックス本体１と面一とすれば、第２スリット８から取り出された打ち抜き片６の端部は自身の切り込み５内に戻り、左右のボックスが整然と連接され、同様の作業を繰り返すことで所要数のボックスが組み立てできる。【００１６】  図３は組み立てた本案ボックスにＤＶＤケース１０を収納した状態を示すもので、ケース１０の幅が７ミリでボックスの内面幅が３５ミリ強であれば、１個のボックス内にＤＶＤケース１０が５枚立てかけて収納でき，２個のボックスを連接すると、１０枚のケースを収納できる。７ミリの幅をもつケースであればＤＶＤの内容を表示したラベルを貼付しても十分に目視できるので、ラベル側を手前に配置して収納すれば直ちに内容が把握できて都合がよい。【００１７】  図４はボックス本体１の片方の側板３ａにコ字形切り込み５を縦に形成して打ち抜き片６を垂直状としたもので、これに見合うように他方の側板３ｂの第１スリット７と第２スリット８を上下に水平状に形成したものであり、従ってこの場合は隣り合う片方のボックス本体１の打ち抜き片６を上方から第１スリット７に差し込み、差し込んだ打ち抜き片６をさらに押し下げて他方のボックス本体１の側板３ｂ内面より第２スリット８から取り出すことで２個のボックスが連接される。このように打ち抜き片６の向きと、第１・第２のスリット７・８の向きが変わっても隣り合うボックス同士を連接することができる。【００１８】  本考案は上記の構成であるが、ボックス本体の厚み、側板の形状などは一例であり、またＤＶＤ以外にも例えばＣＤ、ＣＤ−ＲＯＭ等のディスクに用いることも本考案の自由な実施範囲に属し、同じ目的効果を奏する範囲における構造上の変更なども何ら本考案の主旨から逸脱するものではない。
【図面の簡単な説明】
【００１９】
【図１】本考案ボックスの斜視図である。
【図２】ボックスの連接状態を示す水平断面図である。
【図３】ボックスにＤＶＤケースを収納した正面図である。
【図４】ボックスの他の例を示し、（ａ）は斜視図、（ｂ）は連接状態の垂直断面図である。
【符号の説明】
【００２０】  １    ボックス本体
２    背板
３ａ、３ｂ    側板
４    底板
５    切り込み
６    打ち抜き片
７    第１スリット
８    第２スリット
【図１】
0003121804.tif 000003
【図２】
0003121804.tif 000004
【図３】
0003121804.tif 000005
【図４】
0003121804.tif 000006